(57)【要約】【課題】システムの構成全体を簡単でき、また人体に直接振動を伝えることで、仮眠中や就寝中の人の起床を効果的に催促可能にする。【解決手段】設定時刻に動作するタイマースイッチ５を持った計時手段１と、タイマースイッチ５の動作によって得られる信号を無線送信する送信手段３と、送信手段３からの送信信号を受信する受信する受信手段８と、受信手段８とともに人体の一部に装着され、受信手段８が受信した信号にもとづいて振動を発生する振動手段１０と、を備える。【選択図】図２
0003114233.tif 000002
【実用新案登録請求の範囲】
【請求項１】
設定時刻に動作するタイムスイッチを持った計時手段と、前記タイムスイッチの動作によって得られる信号を無線送信する送信手段と、該送信手段からの送信信号を受信する受信する受信手段と、該受信手段とともに人体の一部に装着され、前記受信手段が受信した信号にもとづいて振動を発生する振動手段と、を備えることを特徴とする起床報知システム。
【請求項２】
前記送信手段が送信する送信信号を、複数の受信手段で同時に受信可能にすることを特徴とする請求項１に記載の起床報知システム。
【請求項３】
前記振動手段が、人体の一部に装着可能な身装品に備え付けられていることを特徴とする請求項１に記載の起床報知システム。
【請求項４】
前記計時手段が、タイムスイッチを持つ目覚まし時計であることを特徴とする請求項１に記載の起床報知システム。
【考案の詳細な説明】
【技術分野】
【０００１】
本考案は、早朝就業等のために仮眠または就寝している特定人に起床を促すための起床報知システムに関する。
【背景技術】
【０００２】
従来、ベッドのマットレスや敷き蒲団等の寝具の下に空気袋を敷込み、この空気袋にこの空気袋に連結した空気送出パイプに対し、電磁弁を介して室外の空気圧源を連結し、電磁弁の開閉により、仮眠者の体重を利用して空気袋の膨張、収縮を繰返し行わせる起床報知装置が提供されている。
【０００３】
ところが、この起床報知装置は、電磁弁の開閉と空気袋の膨張、収縮を制御している関係から、電磁弁の油が寝具下のマットレスや空気袋内に空気流とともに侵入し、マットレスおよび空気袋の耐用寿命が短くなるという不都合があった。また、電磁弁の操作のため、付属品オイラー等が必要になり、固定式とならざるを得ず、このため、取扱いや携行が困難または不可能であった。
【０００４】
これに対し、マットレス、敷き蒲団等の寝具の下に空気袋を前記同様に敷き込み、この空気袋と送風機とを送風パイプにより連結して、ワーレンモータでマイクロスイッチをオン、オフすることにより、空気袋に一定時間間隔で送風する起床報知装置が提案されている。これによれば、空気圧と就寝者の体重とにより、空気袋の膨張、収縮を繰返し行うことで、寝具上の仮眠者に起床報知をすることができる（例えば、特許文献１参照）。
【０００５】
これによれば、電磁弁を使わずに、送風機を一定時間間隔で作動、停止させるため、空気袋内に油、その他の物質が入り込む虞がなく、従って、この空気袋の使用耐久性が良好となり、携行が可能になるという利点が得られている。
【特許文献１】実公昭４６‐３４４６０号公報
【考案の開示】
【考案が解決しようとする課題】
【０００６】
しかしながら、従来の起床報知システムは、空気を利用して空気袋を繰返し膨張、収縮させる構成を採用するため、システム構成が大掛かりになるほか、空気袋には繰り返し動的なストレスが作用し、強度劣化を免れ得ない。また、コスト高となって、一般への普及の妨げになっている。
【０００７】
本考案は、このような従来の問題を解決するものであり、システムの構成全体を簡単かつ安価にでき、また人体に直接振動を伝えることで、起床のタイミングを適切に報知でき、仮眠中や就寝中の特定人の起床を効果的に促すことができる起床報知システムを提供することを目的とする。
【課題を解決するための手段】
【０００８】
本考案は、設定時刻に動作するタイムスイッチを持った計時手段と、前記タイムスイッチの動作によって得られる信号を無線送信する送信手段と、該送信手段からの送信信号を受信する受信する受信手段と、該受信手段とともに人体の一部に装着され、前記受信手段が受信した信号にもとづいて振動を発生する振動手段と、を備えることを特徴とする。
【０００９】
この構成により、送信手段の送信電波が届くいずれの位置においても、計時手段で設定された時刻になると、人体に装着されている振動手段を無線で作動させるため、この振動手段を装着している特定人のみに振動を高感度にて感知させることができ、起床を催促する効果を十分に高めることができる。
【００１０】
また、本考案は、前記送信手段が送信する送信信号を、複数の受信手段で同時に受信可能にすることを特徴とする。
この構成により、振動手段を装着している複数の特定人に同時に振動を与えて、これら複数人に対する起床の催促を、一台の送信手段からの送信指令により同時に実施することができる。
【００１１】
また、本考案は、前記振動手段が、人体の一部に装着可能な身装品に備え付けられていることを特徴とする。
この構成により、振動手段が発生する振動を、装着感が殆どなく、携行が可能で、見栄えの良い腕バンド、腕輪、ブレスレットなどの身装品を通じて、人体に伝えることができる。
【００１２】
また、本考案は、前記計時手段が、タイマースイッチを持つ目覚まし時計であることを特徴とする。
この構成により、市販の目覚まし時計を利用することで、簡単かつローコストに起床報知システムを提供でき、一般への普及を容易化できる。
【考案の効果】
【００１３】
本考案は、計時手段により計時される時刻が設定時刻になったとき、タイムスイッチを動作させて、送信手段から信号を無線送信し、この信号を受信した受信手段に振動開始を指令する信号を出力させ、この出力を受けて出力ドライバが振動手段を駆動することにより、送信手段の送信電波が届くいずれの位置においても、設定時刻になると、振動手段を装着している特定人のみに振動を高感度にて感知させることができ、起床の催促を効果的にすることができる。
【考案を実施するための最良の形態】
【００１４】
以下、本考案の実施形態による起床報知システムを、図面を参照して説明する。
図１は、本考案の実施形態による起床報知システムの送信部Ｓを示すブロック図である。この送信部Ｓは、計時手段１と、ＣＰＵ（演算制御部）２と、送信手段３と、ＡＣ／ＤＣ（交流／直流）変換器４と、を有する。
【００１５】
これらのうち、計時手段１は、時計機能とタイマー機能を備え、人為的に設定された所定の時刻になると、内部に収納したタイマースイッチ５を、例えばオフからオンに切替えるように機能する。この計時手段１としては、市販の目覚まし時計を用いることができ、目覚ましのベルやブザーを作動開始させる機構に前記タイマースイッチ５を連動させることにより、前記タイマー機能を実現することができる。
【００１６】
ＣＰＵ２は、スイッチ５のオン、オフの切替え等に応じて、後述の振動手段１０の作動（振動）開始や作動終了を司る信号の送信を指示するように機能する。
送信手段３は、ＣＰＵ２が出力する信号を、例えば３１２ＭＨｚの搬送波に載せて、送信アンテナ６を通じて無線送信するように機能する。
【００１７】
ＡＣ／ＤＣ変換器４は、プラグ７を通して得られる商用の交流電圧を直流電圧に変換し、ＣＰＵ２や送信手段３へ電源電圧として供給するように機能する。
【００１８】
図２は、前記起床報知システムの受信部Ｒを示すブロック図である。この受信部Ｒは、受信手段８と、出力ドライバ９と、振動手段１０と、を有する。これらのうち、受信手段８は、受信アンテナ１１を通じて送信部Ｓからの送信信号を受信し、復調処理するように機能する。
【００１９】
前記出力ドライバ９は、受信手段８に得られた送信信号を増幅し、振動手段１０へ供給するように機能する。この振動手段１０は、例えば、モータ等の回転体を有し、この回転体が回転するとき、偏心部材の遠心力によって回転軸に対し振動を発生させ、この振動を後述のバンド等に伝えるように機能する。なお、この振動手段１０としては、小型で、電力消費の少ない周知の手段が利用可能である。
【００２０】
前記受信手段８には、リチューム電池などの小型の電池１２が接続されている。前記出力ドライバ９および振動手段１０は、この受信手段８を通じて駆動用電力を得ている。また、この受信手段８、出力ドライバ９および振動手段１０は、後述のバンドに設置または収納される。
【００２１】
図３は、前記受信手段８、出力ドライバ９、振動手段１０および電池１２を含む前記受信部Ｒを取り付けた、身装品としての腕バンド１３を示す。この腕バンド１３は、ゴム、プラスチックなどの柔軟材やチェーンなどの可撓体の帯状体１４からなり、この帯状体１４の一端部は、バンド通しリング１５を通して折り返され、ミシン縫いされている。
【００２２】
また、帯状体１４の他端部とその近傍の２箇所には、それぞれ雄型マジックファスナ１６および雌型マジックファスナ１７が、ミシン縫いにより取り付けられている。なお、帯状体１４の前記他端部がバンド通しリング１５に通された状態では、図示のように、前記各マジックファスナ１６、１７が互いに対向する関係になる。
【００２３】
この腕バンド１３の使用に当っては、帯状体１４が作るリング内に腕や脚を通し、その帯状体１４の他端部のバンド通しリング１５からの引き出し量を調節した上で、前記各マジックファスナ１６、１７を接合ればよい。これにより、窮屈感を覚えることなく、この腕バンド１３を腕や脚に簡単に装着することができ、容易に外れることはない。
なお、前記受信部Ｒは、小型サイズに作られる必要から、腕バンド１３の表面や裏面のほか、腕バンドの内部に埋設してもよい。
【００２４】
次に、前記構成の起床報知システムについて、動作を説明する。
先ず、深夜や早朝等の就業のために仮眠をとる場合には、その仮眠をとる作業員等を一人または複数人特定し、これらの各人の腕（または脚）に、腕バンド１３を前記の手順で装着する。
また、就業人事の管理人は、計時手段１である前記目覚まし時計上で、起床を催促する時刻を、調整つまみ等を操作して設定（指定）する。
【００２５】
目覚まし時計は、起床を催促する時刻をセットした後も計時を続けており、前記指定したセットした時刻になると、前記タイマースイッチ５がオンになる。ＣＰＵ２は、このオン信号を受けて、送信手段３に対し送信開始の指示を行う。送信手段３では、この送信開始の指示を受けて３１２ＭＨｚ帯の搬送波に載せた信号（変調信号）を出力し、送信アンテナ６から無線送信する。
【００２６】
受信手段８は、この無線送信された信号を、受信アンテナ１１を通じて受信し、復調を行って、出力ドライバ９へ出力する。出力ドライバ９では、受信した信号を電力増幅して、振動手段１０に入力する。このため、振動手段１０は振動を開始する。この振動は、バンド１３を腕や脚に装着している特定の作業員のみに伝えられ、この作業員だけが、その振動により起床が促されることとなる。
【００２７】
なお、前記目覚まし時計１側で、タイマースイッチ５をオンにした後、所定時間後（例えば３０秒後）にオフに切り替わるようなタイマー設定や、設定時間内で繰返しオン、オフさせるような動作設定の機能を付与することは任意である。これにより、振動手段１０を自動停止したり、難聴者または振動になれた作業員に対する起床催促効果を高めたりすることができる。
また、前記ＣＰＵ２の制御により、振動手段１０による振動の強度や周期などを任意に設定することで、仮眠者を快適に覚醒させることも可能である。
【００２８】
このように、本考案の実施形態では、設定時刻に動作するタイマースイッチ５を持った計時手段１と、タイマースイッチ５の動作によって得られる信号を無線送信する送信手段３と、送信手段３からの送信信号を受信する受信する受信手段８と、受信手段８とともに人体の一部に装着され、受信手段８が受信した信号にもとづいて振動を発生する振動手段１０と、を備えることにより、送信手段３の送信電波が届くいずれの位置においても、設定された時刻になると振動手段１０が作動するため、この振動手段１０を装着している特定人のみに振動を高感度にて感知させることができ、起床の催促を効果的にすることができる。
【産業上の利用可能性】
【００２９】
本考案にかかる起床報知システムは、システムの構成全体を簡単でき、また人体に直接振動を伝えることで、仮眠中や就寝中の人の起床を効果的に促すことができるという利点を有し、早朝就業等のために仮眠している特定人に起床を促すのに使用する起床報知システム等として有用である。
【図面の簡単な説明】
【００３０】
【図１】本考案の実施形態による起床報知システムの送信部を示すブロック図である。
【図２】本考案の実施形態による起床報知システムの受信部を示すブロック図である。
【図３】本考案における受信部を持つ腕バンドの斜視図である。
【符号の説明】
【００３１】
１  目覚まし時計（計時手段）
２  ＣＰＵ
３  送信手段
５  タイマースイッチ
８  受信手段
９  出力ドライバ
１０  振動手段
１２  電池
１３  腕バンド
Ｓ  送信部
Ｒ  受信部
【図１】
0003114233.tif 000003
【図２】
0003114233.tif 000004
【図３】
0003114233.tif 000005